(57)【要約】【課題】光束利用率を向上させつつＬＥＤからの光を長尺なライン状に照射する。【解決手段】灯具１は、ＬＥＤ２と、ＬＥＤ２の前方に配置された導光体３と、導光体３のＹ方向の両側に配置された反射面４１とを備える。導光体３は、ＬＥＤ２と対向する第一入射面３１１と、第一入射面３１１の周縁部からＬＥＤ２側へ立設された第二入射面３１２とを有し、第二入射面３１２から入射した紫外線のうちの一部の紫外線をＹ方向の両側へ出射させ、入射した紫外線のうち一部の紫外線を除くものを、Ｘ方向の両側へ分岐させつつ前方へ出射させて、Ｘ方向に離間した２つの第一被照射領域Ｒ１へ照射する。反射面４１は、導光体３からＹ方向の両側へ出射された紫外線を前方へ反射させて、２つの第一被照射領域Ｒ１の間の領域である第二被照射領域Ｒ２へ照射する。【選択図】図５
2013033622.tif 000002
【特許請求の範囲】
【請求項１】
光軸を前方へ向けたＬＥＤと、
前記光軸と直交する方向に長尺な形状に形成され、前記ＬＥＤの前方に配置された導光体と、
前記導光体の長手方向及び前記光軸の何れにも直交する前記導光体の幅方向の両側に配置された２つの反射面と、
を備え、
前記導光体は、
前記ＬＥＤと対向する位置に設けられ、前記ＬＥＤから出射された光を当該導光体内へ入射させる第一入射面と、
前記第一入射面の周縁部から前記ＬＥＤ側へ立設され、前記ＬＥＤから出射されて前記第一入射面よりも側方へ向かう光を当該導光体内へ入射させる第二入射面と、
を有し、
前記第二入射面から入射した光のうちの一部の光を、前記幅方向の両側へ出射させるとともに、
前記第一入射面及び前記第二入射面から入射した光のうち、前記一部の光を除くものを、前記長手方向の両側へ分岐させつつ前方へ出射させて、前記長手方向に離間した２つの第一被照射領域へ照射し、
前記２つの反射面は、前記導光体から前記幅方向の両側へ出射された光を前方へ反射させて、前記２つの第一被照射領域の間の領域であって当該２つの第一被照射領域と前記長手方向に連なる第二被照射領域へ照射することを特徴とする灯具。
【請求項２】
前記第一入射面は、前記ＬＥＤから出射された光を前記光軸に沿った光軸方向へ屈折させつつ前記導光体内へ入射させ、
前記導光体は、
前記第二入射面の先端から前記光軸方向へ向かって外側へ広がるように傾斜した形状に形成され、前記第二入射面から当該導光体内へ入射した光を前記光軸方向へ内部反射させる第一内部反射面と、
第一内部反射面のうち前記幅方向の両端部に位置する２つの反射面端部を除く反射面部分と前記第一入射面との前記光軸方向に配置され、当該反射面部分及び当該第一入射面から前記光軸方向へ進む光を、前記長手方向の両側へ分岐するように内部反射させる第二内部反射面と、
前記第二内部反射面の前記長手方向の両側にそれぞれ配置され、当該第二内部反射面で内部反射された光を前記光軸方向へ個別に内部反射させる第三内部反射面と、
前記第三内部反射面の前記光軸方向に配置され、当該第三内部反射面で内部反射された光を当該導光体内から前方へ出射させて前記２つの第一被照射領域へ個別に照射する２つの第一出射面と、
前記２つの反射面端部の前記光軸方向に配置され、当該２つの反射面端部で内部反射された光を前記幅方向の外方へ個別に内部反射させる２つの第四内部反射面と、
前記２つの第四内部反射面の前記幅方向の外方に配置され、当該２つの第四内部反射面で内部反射された光を当該導光体内から前記幅方向の外方へ個別に出射させる２つの第二出射面と、
を有し、
前記２つの反射面は、前記２つの第二出射面に対向する位置に配置され、当該２つの第二出射面から出射された光を斜め前方へ個別に反射させて前記第二被照射領域へ照射することを特徴とする請求項１に記載の灯具。
【請求項３】
前記２つの反射面を有するハウジングを備え、
前記ＬＥＤは紫外線を出射させるものであり、
前記ハウジングは、前記ＬＥＤ及び前記導光体の周囲を覆うように配置されるとともに遮光部材で形成され、前記２つの第一被照射領域及び前記第二被照射領域を除く領域への当該灯具からの紫外線を遮光することを特徴とする請求項１又は２に記載の灯具。
【発明の詳細な説明】
【技術分野】
【０００１】
本発明は、灯具に関する。
【背景技術】
【０００２】
従来、紫外線照射装置などに用いられる灯具として、例えば特許文献１に記載のように、ＬＥＤ（発光ダイオード）から出射された光を長尺なライン状に照射するものが知られている。
【０００３】
上記特許文献１に記載の灯具８０は、図６に示すように、左右方向に配列された複数のＬＥＤ８１，…と、各ＬＥＤ８１の前方に配置された複数のメニスカスレンズ８２，…と、全てのメニスカスレンズ８２，…の前方に亘って配設された長尺なシリンダーレンズ８３とを備えている。各メニスカスレンズ８２の入射面は、対応するＬＥＤ８１の出射部からの距離が一定となるような凹面状に形成されており、ＬＥＤ８１からの出射光が当該入射面にほぼ垂直に入射するようになっている。そのため、メニスカスレンズ８２は、ＬＥＤ８１から角度を持って出射される光の照度分布を均一に保持したまま、当該光を前方へ出射させる。
【０００４】
この灯具８０では、ＬＥＤ８１，…から出射された光を、メニスカスレンズ８２，…により照度分布を均一に保持しつつ、シリンダーレンズ８３で幅方向（紙面垂直方向）に集光させることにより、当該光を左右方向に長尺なライン状に照射している。
【先行技術文献】
【特許文献】
【０００５】
【特許文献１】特開２０１１−６０７９８号公報
【発明の概要】
【発明が解決しようとする課題】
【０００６】
しかしながら、一般にＬＥＤから出射される光は広い出射角度範囲に亘って略放射状に出射されるところ、上記特許文献１に記載の灯具８０では、ＬＥＤ８１から大きな出射角度で出射された光をメニスカスレンズ８２に入射させることができないため、光束利用率が低くなってしまう。この点、ＬＥＤ８１を覆うようにメニスカスレンズ８２の入射面を大きくすれば、出射角度の大きな光も当該入射面に入射させることができるものの、この場合には、メニスカスレンズ８２から出射される光も全周に亘って大きく広がるため、当該光をライン状に照射することが困難になってしまう。
【０００７】
本発明は、上記事情を鑑みてなされたもので、従来に比べ、光束利用率を向上させつつＬＥＤからの光を長尺なライン状に照射することができる灯具の提供を課題とする。
【課題を解決するための手段】
【０００８】
上記課題を解決するために、請求項１に記載の発明は、灯具において、
光軸を前方へ向けたＬＥＤと、
前記光軸と直交する方向に長尺な形状に形成され、前記ＬＥＤの前方に配置された導光体と、
前記導光体の長手方向及び前記光軸の何れにも直交する前記導光体の幅方向の両側に配置された２つの反射面と、
を備え、
前記導光体は、
前記ＬＥＤと対向する位置に設けられ、前記ＬＥＤから出射された光を当該導光体内へ入射させる第一入射面と、
前記第一入射面の周縁部から前記ＬＥＤ側へ立設され、前記ＬＥＤから出射されて前記第一入射面よりも側方へ向かう光を当該導光体内へ入射させる第二入射面と、
を有し、
前記第二入射面から入射した光のうちの一部の光を、前記幅方向の両側へ出射させるとともに、
前記第一入射面及び前記第二入射面から入射した光のうち、前記一部の光を除くものを、前記長手方向の両側へ分岐させつつ前方へ出射させて、前記長手方向に離間した２つの第一被照射領域へ照射し、
前記２つの反射面は、前記導光体から前記幅方向の両側へ出射された光を前方へ反射させて、前記２つの第一被照射領域の間の領域であって当該２つの第一被照射領域と前記長手方向に連なる第二被照射領域へ照射することを特徴とする。
【０００９】
請求項２に記載の発明は、請求項１に記載の灯具において、
前記第一入射面は、前記ＬＥＤから出射された光を前記光軸に沿った光軸方向へ屈折させつつ前記導光体内へ入射させ、
前記導光体は、
前記第二入射面の先端から前記光軸方向へ向かって外側へ広がるように傾斜した形状に形成され、前記第二入射面から当該導光体内へ入射した光を前記光軸方向へ内部反射させる第一内部反射面と、
第一内部反射面のうち前記幅方向の両端部に位置する２つの反射面端部を除く反射面部分と前記第一入射面との前記光軸方向に配置され、当該反射面部分及び当該第一入射面から前記光軸方向へ進む光を、前記長手方向の両側へ分岐するように内部反射させる第二内部反射面と、
前記第二内部反射面の前記長手方向の両側にそれぞれ配置され、当該第二内部反射面で内部反射された光を前記光軸方向へ個別に内部反射させる第三内部反射面と、
前記第三内部反射面の前記光軸方向に配置され、当該第三内部反射面で内部反射された光を当該導光体内から前方へ出射させて前記２つの第一被照射領域へ個別に照射する２つの第一出射面と、
前記２つの反射面端部の前記光軸方向に配置され、当該２つの反射面端部で内部反射された光を前記幅方向の外方へ個別に内部反射させる２つの第四内部反射面と、
前記２つの第四内部反射面の前記幅方向の外方に配置され、当該２つの第四内部反射面で内部反射された光を当該導光体内から前記幅方向の外方へ個別に出射させる２つの第二出射面と、
を有し、
前記２つの反射面は、前記２つの第二出射面に対向する位置に配置され、当該２つの第二出射面から出射された光を斜め前方へ個別に反射させて前記第二被照射領域へ照射することを特徴とする。
【００１０】
請求項３に記載の発明は、請求項１又は２に記載の灯具において、
前記２つの反射面を有するハウジングを備え、
前記ＬＥＤは紫外線を出射させるものであり、
前記ハウジングは、前記ＬＥＤ及び前記導光体の周囲を覆うように配置されるとともに遮光部材で形成され、前記２つの第一被照射領域及び前記第二被照射領域を除く領域への当該灯具からの紫外線を遮光することを特徴とする。
【発明の効果】
【００１１】
本発明によれば、ＬＥＤから出射されて第一入射面及び第二入射面から導光体内に入射した光のうち一部の光を除くものが、導光体の長手方向の両側へ分岐されつつ前方へ出射されて、長手方向に離間した２つの第一被照射領域へ照射される一方、第二入射面から入射した光のうちの上記一部の光が、幅方向の両側へ出射された後に２つの反射面によって前方へ反射されて、２つの第一被照射領域の間の領域であって当該２つの第一被照射領域と長手方向に連なる第二被照射領域へ照射されるので、ＬＥＤから出射された光を、２つの第一被照射領域と第二被照射領域とが連なった長尺なライン状に照射することができる。
【００１２】
また、導光体が、ＬＥＤと対向する位置に設けられた第一入射面と、当該第一入射面の周縁部からＬＥＤ側へ立設され、ＬＥＤから出射されて第一入射面よりも側方へ向かう光を当該導光体内へ入射させる第二入射面とを有するので、ＬＥＤから小さな出射角度で出射された光を第一入射面から導光体内へ入射させるとともに、ＬＥＤから大きな出射角度で出射された光を第二入射面から導光体内へ入射させることができる。そして、上述の通り、これらの光をライン状に照射することができる。したがって、ＬＥＤから大きな出射角度で出射された光を利用することができなかった従来に比べ、光束利用率を向上させることができる。
【図面の簡単な説明】
【００１３】
【図１】実施形態における灯具の正面図である。
【図２】図１のII−II線での断面図である。
【図３】図１のIII−III線での断面図である。
【図４】実施形態における導光ブロックの斜視図である。
【図５】実施形態における導光ブロックのＸＺ平面での断面図である。
【図６】従来の灯具の断面図である。
【発明を実施するための形態】
【００１４】
以下、本発明の実施形態について、図面を参照して説明する。
【００１５】
図１は、本実施形態における灯具１の正面（前面）図であり、図２及び図３は、図１のII−II線及びIII−III線での断面図である。
なお、以下の説明では、灯具１の前後方向に沿って後方から前方へ向かう方向を「Ｚ方向」とし、Ｚ方向と直交し、且つ互いに直交する２方向を「Ｘ方向」及び「Ｙ方向」とする。
【００１６】
図１〜図３に示すように、灯具１は、例えば紫外線硬化樹脂（図示せず）等に紫外線を照射する紫外線照射装置であり、複数のＬＥＤ（発光ダイオード）２，…と、ＬＥＤ２，…の前方に配置された導光体３と、２つのハウジング４，４とを備えている。
このうち、ＬＥＤ２，…は、共通する基板２１の前面に実装された状態でＸ方向に沿って等間隔に配列されている。各ＬＥＤ２は、紫外領域のピーク波長（例えば、３６５ｎｍ，３８５ｎｍ等）を有する紫外線を出射させるものであり、光軸ＡｘをＺ方向に沿って前方へ向けた状態に配置され、当該光軸Ａｘを中心に前方へ略放射状に紫外線を出射させる。
【００１７】
導光体３は、ＬＥＤ２，…から出射された紫外線を前方へライン状に照射するためのものである。この導光体３は、光軸Ａｘと直交するＸ方向に長尺な形状に形成されており、具体的には、ＬＥＤ２，…からの紫外線を個別に導光する複数の導光ブロック３０，…がＸ方向に沿って連結された形状に形成されている。
【００１８】
図４は、導光ブロック３０の斜視図であり、図５は、光軸Ａｘを含むＸＺ平面での導光ブロック３０の断面図である。
図３〜図５に示すように、導光ブロック３０は、Ｘ方向に長尺な形状に形成されるとともに、光軸Ａｘを含むＸＺ平面及びＹＺ平面の各面について面対称に形成されている。
【００１９】
導光ブロック３０の後部であってＸ方向（長手方向）の中央部には、対応するＬＥＤ２からの紫外線を当該導光ブロック３０内に入射させる入射部３１が形成されている。入射部３１は、光軸Ａｘを回転対称軸として後方へ突出する裁頭円錐状に形成されており、その後端には、後方へ開口する凹部３１ａが形成されている。
凹部３１ａの底部には、後方へ膨出する凸面状（非球面）の第一入射面３１１が、光軸Ａｘを回転対称軸としてＬＥＤ２と対向する位置に設けられている。この第一入射面３１１は、その焦点にＬＥＤ２が位置するとともに、ＬＥＤ２から当該第一入射面３１１の外周縁への紫外線の出射角度が略半値角となるように形成されており、ＬＥＤ２から出射された紫外線のうち出射角度が略半値角未満のものを、Ｚ方向に沿うように屈折させてＺ方向への平行光としつつ、導光ブロック３０（導光体３）内へ入射させる。
凹部３１ａの内周面は、第二入射面３１２となっている。この第二入射面３１２は、ＬＥＤ２の周囲を囲うように第一入射面３１１の周縁部からＬＥＤ２側（後方）へ立設された裁頭円錐面であり、ＬＥＤ２から出射された紫外線のうち第一入射面３１１よりも側方へ向かうもの，つまり出射角度が略半値角以上のものを、導光ブロック３０（導光体３）内へ入射させる。
入射部３１の外周面は、第一内部反射面３１３となっている。この第一内部反射面３１３は、第二入射面３１２の先端（後端）からＺ方向へ向かって外側（光軸Ａｘから遠い側）へ広がるように傾斜した裁頭円錐面であり、第二入射面３１２から導光ブロック３０内へ入射した紫外線を、Ｚ方向に沿うように内部反射させてＺ方向への平行光とする。
【００２０】
導光ブロック３０の前面のうち、第一入射面３１１及び第一内部反射面３１３のＺ方向には、一対の第二内部反射面３２，３２が凹設されている。この第二内部反射面３２，３２は、光軸Ａｘを通りＹ方向に沿った線を基端線として、光軸Ａｘを含むＹＺ平面をＸ方向の両側へ４５度の角度で個別に傾斜させた平面となっており、第一入射面３１１及び第一内部反射面３１３からＺ方向へ進む紫外線を、光軸Ａｘを境にＸ方向の両側へ分岐するように内部反射させる。但し、この第二内部反射面３２，３２のＹ方向（導光体３の幅方向）の両端位置は、光軸Ａｘを含むＹＺ平面において、Ｙ方向の両側にある第一内部反射面３１３それぞれにおけるＹ方向の略中間位置となっており（図３参照）、当該両端位置はＸ方向に沿って一定となっている。そのため、第一内部反射面３１３のうち、Ｙ方向の両端部であって、第二内部反射面３２，３２の後方に位置していない（つまり、第二内部反射面３２，３２とはＹ方向の位置が異なる）２つの反射面端部３１３ａ，３１３ａが存在しており、当該反射面端部３１３ａ，３１３ａでＺ方向へ内部反射された紫外線は、第二内部反射面３２，３２には入射せず、後述の第四内部反射面３５１，３５１に入射する。したがって、正確には、第二内部反射面３２，３２は、第一内部反射面３１３のうち反射面端部３１３ａ，３１３ａを除く反射面部分と、第一入射面３１１とからＺ方向へ進む紫外線を内部反射させる。
【００２１】
導光ブロック３０の後面のうち、入射部３１のＸ方向の両側には、それぞれ２つの第三内部反射面３３，３３が形成されている。２つの第三内部反射面３３，３３は、入射部３１のＸ方向の両側それぞれにおいて、一対の第二内部反射面３２，３２のうち何れか近い方と平行になるように、つまりＹＺ平面に対して４５度の角度でＸ方向へ傾斜するようにそれぞれ形成され、Ｚ方向と直交する段面３３ａを挟んでＸ方向に連なっている。この第三内部反射面３３，３３は、第二内部反射面３２，３２のＸ方向の両側にそれぞれ位置しており、第二内部反射面３２，３２でＸ方向の両側へ内部反射された紫外線をＺ方向へ個別に内部反射させる。
【００２２】
導光ブロック３０の前面のうち、第二内部反射面３２，３２のＸ方向の両側には、第一出射面３４がそれぞれ形成されている。この第一出射面３４は、Ｚ方向と直交する基準面上に複数のレンズカットが形成された面となっている。複数のレンズカットは、Ｙ方向に沿った母線を有してＺ方向へ膨らむシリンドリカル面状にそれぞれ形成され、基準面の全面に亘ってＸ方向に並設されている。第一出射面３４は、第三内部反射面３３，３３のＺ方向に位置しており、第三内部反射面３３，３３でＺ方向へ内部反射された紫外線を、複数のレンズカットによりＸ方向へ拡散させつつ導光ブロック３０内から前方へ出射させて、第一被照射領域Ｒ１へ照射する。ここで、第一被照射領域Ｒ１とは、紫外線の照射対象（例えば紫外線硬化樹脂等）が配置される被照射面のうち、第一出射面３４の前方に位置する領域である（図５参照）。
【００２３】
導光ブロック３０のＸ方向の中央部であってＹ方向の両端部には、Ｙ方向の両側へ突設された突設部３５がそれぞれ設けられている。突設部３５は、Ｙ方向と直交する略平板状に形成されている。
突設部３５の後半部は入射部３１と一体化しており、入射部３１の第一内部反射面３１３のうち、Ｙ方向の端部に位置する反射面端部３１３ａが当該突設部３５の後端面となっている。
突設部３５の前端部には、Ｙ方向の外方（灯具外方）へ張り出した張出部３５ａが形成されている。この張出部３５ａの基端部に位置する突設部３５の前端面は、ＸＺ平面に対して４５度の角度でＹ方向の外方へ傾斜した第四内部反射面３５１となっている。第四内部反射面３５１は、反射面端部３１３ａのＺ方向に位置しており、反射面端部３１３ａでＺ方向へ内部反射された紫外線をＹ方向の外方へ内部反射させる。
張出部３５ａのＹ方向の先端面は、第二出射面３５２となっている。第二出射面３５２は、Ｙ方向と直交する平面状に形成された後半部と、前方に行くに連れてＹ方向の外方へ突出する湾曲面状に形成された前半部とが連なった面となっている。この第二出射面３５２は、第四内部反射面３５１のＹ方向の外方に位置しており、第四内部反射面３５１でＹ方向の外方へ内部反射された紫外線を、後半部ではＹ方向に沿って導光ブロック３０（導光体３）内から出射させ、前半部ではＺ方向へ屈折させつつ導光ブロック３０（導光体３）内からＹ方向へ出射させる。
【００２４】
ハウジング４，４は、図１及び図３に示すように、導光体３のＸ方向の全長に亘って当該導光体３のＹ方向の両側に立設された灯具１の側壁である。ハウジング４，４の内側面のうちの前半部は、ＸＺ平面をややＹ方向の外方へ傾斜させた反射面４１，４１となっている。反射面４１，４１は、各導光ブロック３０の第二出射面３５２，３５２に対向しており、第二出射面３５２，３５２から出射された紫外線を斜め前方へ個別に反射させて、第二被照射領域Ｒ２へ照射する（図５参照）。ここで、第二被照射領域Ｒ２とは、紫外線の照射対象（例えば紫外線硬化樹脂等）が配置される被照射面のうち、各導光ブロック３０における２つの第一被照射領域Ｒ１，Ｒ１の間の領域であって当該２つの第一被照射領域Ｒ１，Ｒ１とＸ方向に連なる領域である。なお、反射面４１，４１は、アルミ蒸着等を施した鏡面反射面であってもよいし、白色塗装やシボ加工等を施した拡散反射面であってもよい。
【００２５】
また、ハウジング４，４は、ＬＥＤ２，…及び導光体３の周囲を覆うように配置されるとともに、遮光部材で形成されており、第一被照射領域Ｒ１，Ｒ１及び第二被照射領域Ｒ２を除く領域への灯具１からの紫外線を遮光する。ここで、ＬＥＤ２，…及び導光体３の「周囲」には、導光体３の前方が含まれないことは勿論であり、少なくとも、灯具１からの意図しない紫外線漏洩の恐れがある部分が含まれていればよい。
【００２６】
続いて、灯具１における紫外線の照射態様について説明する。
なお、灯具１においては、導光ブロック３０及びこれに対応する部分（ＬＥＤ２、反射面４１，４１）ごとに全て同様に機能するため、以下では、導光ブロック３０及びこれに対応する部分における紫外線の照射態様について説明する。
【００２７】
図５に示すように、ＬＥＤ２から出射された紫外線のうち、出射角度が略半値角未満のものは、第一入射面３１１を通じてＺ方向に沿った平行光とされつつ導光体３内へ入射する。この紫外線は、第一入射面３１１からＺ方向へ進んで第二内部反射面３２，３２に入射し、当該第二内部反射面３２，３２により光軸Ａｘを境にＸ方向の両側へ分岐するように内部反射される。Ｘ方向の両側へ分岐された紫外線は、それぞれ第三内部反射面３３，３３でＺ方向へ内部反射された後に、第一出射面３４，３４を通じてＸ方向へ拡散されつつ前方へ出射され、互いにＸ方向に離間した２つの第一被照射領域Ｒ１，Ｒ１へ個別に照射される。
【００２８】
また、ＬＥＤ２から出射された紫外線のうち、出射角度が略半値角以上のものは、第二入射面３１２を通じて屈折されつつ導光体３内へ入射した後に、第一内部反射面３１３によってＺ方向へ内部反射される。
ここで、第一内部反射面３１３のうち、Ｙ方向両端部の反射面端部３１３ａ，３１３ａを除く反射面部分で内部反射された紫外線は、上述した出射角度が略半値角未満の紫外線と同様にして、第一被照射領域Ｒ１，Ｒ１へ照射される。つまり、当該紫外線は、第二内部反射面３２，３２によりＸ方向の両側へ分岐するように内部反射され、第三内部反射面３３，３３でＺ方向へ内部反射された後に、第一出射面３４，３４を通じてＸ方向へ拡散されつつ前方へ出射されて第一被照射領域Ｒ１，Ｒ１へ照射される。
【００２９】
一方、図３に示すように、第一内部反射面３１３のうち、Ｙ方向両端部の反射面端部３１３ａ，３１３ａで内部反射された紫外線は、反射面端部３１３ａ，３１３ａからＺ方向へ進んで突設部３５の第四内部反射面３５１，３５１に入射し、当該第四内部反射面３５１，３５１でＹ方向の外方へ個別に内部反射される。第四内部反射面３５１，３５１で内部反射された紫外線は、第二出射面３５２，３５２を通じて一部がＺ方向へ屈折されつつ導光体３内からＹ方向の外方へ個別に出射された後に、ハウジング４，４の反射面４１，４１で斜め前方へ個別に反射され、２つの第一被照射領域Ｒ１，Ｒ１の間の第二被照射領域Ｒ２へ照射される（図５参照）。
【００３０】
こうして、各導光ブロック３０において、２つの第一被照射領域Ｒ１，Ｒ１と第二被照射領域Ｒ２とが被照射面上で連なり、Ｘ方向に長尺なライン状に紫外線が照射される。同時に、隣り合う導光ブロック３０，３０間で各第一被照射領域Ｒ１が連なることにより、灯具１全体では、よりＸ方向に長尺なライン状に紫外線が照射される。
【００３１】
以上のように、灯具１によれば、ＬＥＤ２から出射されて第一入射面３１１及び第二入射面３１２から導光体３内に入射した紫外線のうち一部の紫外線を除くものが、Ｘ方向の両側へ分岐されつつ前方へ出射されて、Ｘ方向に離間した２つの第一被照射領域Ｒ１，Ｒ１へ照射される一方、第二入射面３１２から入射した紫外線のうちの上記一部の紫外線が、Ｙ方向の両側へ出射された後に２つの反射面４１，４１によって前方へ反射されて、２つの第一被照射領域Ｒ１，Ｒ１の間の領域であって当該２つの第一被照射領域Ｒ１，Ｒ１とＸ方向に連なる第二被照射領域Ｒ２へ照射される。したがって、ＬＥＤ２から出射された紫外線を、２つの第一被照射領域Ｒ１，Ｒ１と第二被照射領域Ｒ２とが連なった長尺なライン状に照射することができる。
【００３２】
また、導光体３が、ＬＥＤ２と対向する位置に設けられた第一入射面３１１と、当該第一入射面３１１の周縁部からＬＥＤ２側へ立設され、ＬＥＤ２から出射されて第一入射面３１１よりも側方へ向かう紫外線を当該導光体３内へ入射させる第二入射面３１２とを有するので、ＬＥＤ２から小さな出射角度で出射された紫外線を第一入射面３１１から導光体３内へ入射させるとともに、ＬＥＤ２から大きな出射角度で出射された紫外線を第二入射面３１２から導光体３内へ入射させることができる。そして、上述の通り、これらの紫外線をライン状に照射することができる。したがって、ＬＥＤから大きな出射角度で出射された光を利用することができなかった従来に比べ、光束利用率を向上させることができる。
【００３３】
また、ハウジング４，４が、ＬＥＤ２，…及び導光体３の周囲を覆うように配置されるとともに遮光部材で形成され、第一被照射領域Ｒ１，Ｒ１及び第二被照射領域Ｒ２を除く領域への灯具１からの紫外線を遮光するので、所望の被照射領域（第一被照射領域Ｒ１及び第二被照射領域Ｒ２）以外への紫外線の照射を防ぐことができ、安全性を確保することができる。
【００３４】
なお、本発明を適用可能な実施形態は、上述した実施形態に限定されることなく、本発明の趣旨を逸脱しない範囲で適宜変更可能である。
【００３５】
例えば、上記実施形態では、ＬＥＤ２，…が紫外線を出射させるものとしたが、当該ＬＥＤ２，…は紫外線以外の光を出射させるものであってもよい。したがって、灯具１は、ＬＥＤ２，…からの光をライン状に照射するものであればよく、紫外線照射装置でなくともよい。
【００３６】
また、ハウジング４，４は、別体に分割された灯具１の側壁であることとしたが、一体的に構成された筐体としてもよい。
【符号の説明】
【００３７】
１            灯具
２            ＬＥＤ
Ａｘ        光軸
３            導光体
３０          導光ブロック
３１        入射部
３１１    第一入射面
３１２    第二入射面
３１３    第一内部反射面
３１３ａ  反射面端部
３２        第二内部反射面
３３        第三内部反射面
３４        第一出射面
３５        突設部
３５１    第四内部反射面
３５２    第二出射面
４            ハウジング
４１        反射面
Ｒ１          第一被照射領域
Ｒ２          第二被照射領域
Ｘ            方向（長手方向）
Ｙ            方向（幅方向）
Ｚ            方向（光軸方向）
【図１】
2013033622.tif 000003
【図２】
2013033622.tif 000004
【図３】
2013033622.tif 000005
【図４】
2013033622.tif 000006
【図５】
2013033622.tif 000007
【図６】
2013033622.tif 000008